(57)【要約】【課題】Ｒ３２冷媒を５０％超えて含有する冷媒を使用した冷凍サイクルシステムにおいて、冷媒の循環経路中に銅イオンが発生することを根本的に防止し、銅メッキ現象の発生を抑制してシステム全体の信頼性を高める。【解決手段】ハウジング２１の内部に、圧縮機構２２と、該圧縮機構２２を駆動する電動機２３とが収容されるとともに、Ｒ３２冷媒を５０％超えて含有する冷媒を使用し、この冷媒が圧縮機構２２によって圧縮されるように構成された密閉形のロータリ型圧縮機４Ａにおいて、少なくとも冷媒の温度が１００℃以上になる領域において、該冷媒に接触する構成部品、例えばハウジング２１、吐出管２６、導線部材２８，３７、メタル軸受３３１，３４１等の表面、もしくは全体を非銅系の材料により形成したことを特徴とする。【選択図】図２
2014122587.tif 000002
【特許請求の範囲】
【請求項１】
Ｒ３２冷媒を５０％超えて含有する冷媒を使用し、
少なくとも前記冷媒の温度が１００℃以上になる領域において、該冷媒に接触する構成部品の表面が非銅系の材料により形成されたことを特徴とする圧縮機。
【請求項２】
前記構成部品の表面は、非銅系のコーティングを施したものであることを特徴とする請求項１に記載の圧縮機。
【請求項３】
前記構成部品は、冷媒環境下にある回転軸を支持する軸受部であることを特徴とする請求項１に記載の圧縮機。
【請求項４】
前記軸受部は、銅の含有率が１．５％以下のメタル軸受を使用していることを特徴とする請求項３に記載の圧縮機。
【請求項５】
前記軸受部は、前記冷媒を圧縮する圧縮機構または該圧縮機構を駆動する電動機のケーシングに直接形成されたメタルレス軸受であることを特徴とする請求項３に記載の圧縮機。
【請求項６】
前記構成部品は、前記冷媒を圧縮する圧縮機構を駆動する電動機の導線部材であることを特徴とする請求項１に記載の圧縮機。
【請求項７】
前記導線部材はアルミニウム系材料で形成されていることを特徴とする請求項６に記載の圧縮機。
【請求項８】
請求項１から７のいずれかに記載の圧縮機と、
前記冷媒を凝縮または蒸発させる熱交換器と、
前記冷媒の流れを制御する弁部材と、
上記各部材の間を接続する管路部材と、
を備えて冷媒回路が構成された冷凍サイクルシステムであって、
前記冷媒回路のうち、少なくとも前記冷媒の温度が１００℃を超える領域において該冷媒と接触する構成部品の表面が銅以外の材質によって形成されたことを特徴とする冷凍サイクルシステム。
【請求項９】
前記構成部品の表面は、非銅系のコーティングを施したものであることを特徴とする請求項８に記載の冷凍サイクルシステム。
【請求項１０】
前記熱交換器はアルミニウム系材料で形成されていることを特徴とする請求項８に記載の冷凍サイクルシステム。
【請求項１１】
前記弁部材および前記管路部材の少なくとも一方は、アルミニウム系材料、または鉄系材料で形成されていることを特徴とする請求項８に記載の冷凍サイクルシステム。
【発明の詳細な説明】
【技術分野】
【０００１】
本発明は、Ｒ３２（ＨＦＣ３２）冷媒、またはこれを５０％超えて含有する混合冷媒を用いるための圧縮機およびこれを用いた冷凍サイクルシステムに関するものである。
【背景技術】
【０００２】
冷凍や、室内の冷暖房を行う空調等の冷凍サイクルシステム用の冷媒として、これまでに用いられていたＲ４１０Ａ冷媒等に代わり、Ｒ３２（ＨＦＣ３２）冷媒の使用が開始されている。元々、Ｒ４１０Ａ冷媒は、性質の似たＲ３２冷媒とＲ１２５冷媒とが５０％ずつの比率で混合されたものであるが、Ｒ３２の単一冷媒とすることにより、地球温暖化係数を１／３程度に低減することができ、しかも冷暖房時のエネルギー効率（ＣＯＰ値）を高められるというメリットがある。
【０００３】
反面、Ｒ３２冷媒は、Ｒ４１０Ａ冷媒に比べて圧縮機からの吐出圧力が高いため、吐出された冷媒の温度がＲ４１０Ａ冷媒よりも高くなる。このため、圧縮機および冷媒回路の高温領域においては、Ｒ３２冷媒自体およびＲ３２冷媒に混合されている潤滑用のオイルが高温になり、この高温化した冷媒やオイルが、冷媒回路を構成する銅を含有した部材類、例えば圧縮機およびこれを駆動する電動機の軸受類や、冷媒回路を構成している配管、バルブ類等の表面に接触した際に、これらの部材類に含有されている銅の成分が無用に活性化されて銅イオンが発生し、オイル中に溶け出す。このように銅イオンが溶けだす現象は、冷媒温度が概ね１００℃を超える部位において活発化する傾向がある。
【０００４】
このようにオイル中に含有された銅イオンは、冷媒回路中に露呈している鉄系部品の表面に銅を析出・付着させる、いわゆる銅メッキ現象(Copper Plating)を発生させる。上記の鉄系部品としては、冷媒を圧縮する圧縮機の回転軸や、圧縮機を駆動する電動機の主軸等を例示できる。これらの回転軸の表面に銅メッキ現象が発生すると、その軸受部（ジャーナル）の外周面の面粗度が悪化し、滑り軸受との間の油膜の形成が阻害されてスムーズに回転できなくなり、回転振動や焼き付き等を誘発させる原因となる。
【０００５】
同じく、回転軸が圧縮機のハウジングから外部に突出する箇所に設けられるメカニカルシール部に銅メッキ現象が発生すると、回転軸外周面の面粗度悪化によりオイルシールとの間の気密性が保たれなくなり、外部へのオイル漏れやガス漏れが発生してしまう問題がある。
【０００６】
また、Ｒ３２冷媒は分子量が小さいため、Ｒ３２冷媒に混合されたオイルが、Ｒ３２冷媒による高希釈時に粘度低下を起こしやすく、上述の銅メッキ現象の発生を助長していた。そして、オイルの粘度低下と銅メッキ現象との相乗作用により、電動機や圧縮機の回転軸の潤滑性能を著しく低下させてしまう懸念があった。
【０００７】
そこで、特許文献１に開示されている気体圧縮機のように、オイルを溜める油溜りや、オイルの通路部等に、銅よりもイオン化傾向が大きい材質、例えばアルミニウムで形成した異物除去部材を配置し、オイルがこの異物除去部材の内部を循環する時に、オイルに含有されている銅イオンを異物除去部材に付着させることにより、オイル中の銅イオンを取り除いて銅メッキ現象の進行を防止するようにしたものがある。
【先行技術文献】
【特許文献】
【０００８】
【特許文献１】特開２０００−２８３０８０号公報
【発明の概要】
【発明が解決しようとする課題】
【０００９】
しかしながら、特許文献１に開示されている気体圧縮機は、冷媒の循環経路中に銅イオンが発生することを根本的に防止したものではなく、既に発生してしまった銅イオンを所定の場所に形成した異物除去部材に付着させるというものであり、確固たる信頼性を構築できる技術とは言い難いものであった。
【００１０】
本発明は上記の事情に鑑みてなされたものであり、Ｒ３２冷媒を５０％超えて含有する冷媒を使用した冷凍サイクルシステムにおいて、冷媒の循環経路中に銅イオンが発生することを根本的に防止し、銅メッキ現象の発生を抑制してシステム全体の信頼性を高めることができる圧縮機およびこれを用いた冷凍サイクルシステムを提供することを目的とする。
【課題を解決するための手段】
【００１１】
上記課題を解決するために、本発明は以下の手段を採用する。
即ち、本発明に係る圧縮機は、Ｒ３２冷媒を５０％超えて含有する冷媒を使用し、少なくとも前記冷媒の温度が１００℃以上になる領域において、該冷媒に接触する構成部品の表面が非銅系の材料により形成されたことを特徴とする。
【００１２】
上記構成によれば、圧縮機の構成部品のうち、少なくとも冷媒の温度が１００℃を超える領域に配置されている構成部品の冷媒との接触面が非銅系の材料により形成されているため、この部分に１００℃を超える温度の冷媒やオイルが接触しても、銅イオンがオイル中に溶け出すことがない。したがって、冷媒回路中に露呈している圧縮機構や電動機の回転軸といった鉄系部品の表面に銅メッキ現象が発生しない。これにより、冷凍サイクルシステム全体の信頼性を高めることができる。
【００１３】
上記構成の圧縮機において、前記構成部品の表面は、非銅系のコーティングを施したものとしてもよい。この場合も、上記と同様な作用・効果が得られ、しかも従来の銅系部品の材質を変更せずに表面にコーティングを施す（既製の部品の表面にコーティングを施す）だけでよいため、部品全体の材質変更や、既製部品の廃棄等に伴うコストアップを回避することができる。
【００１４】
上記構成の圧縮機において、前記構成部品は、冷媒環境下にある回転軸を支持する軸受部としてもよい。軸受部は、鉄系の部品である回転軸を支持する部分であるため、この軸受部の表面が非銅系の材料で形成されることにより、銅イオンの溶出および銅メッキ現象を有効に抑制することができる。
【００１５】
上記構成の圧縮機において、前記軸受部は、銅の含有率が１．５％以下のメタル軸受を使用することが考えられる。好ましいのはアルミニウム合金系のメタル軸受である。元来、アルミニウム合金は、その強度特性を向上させるために微量な銅が配合されているが、その含有率が１．５％以下であれば、上述の銅イオンの溶出および銅メッキ現象を防止することができる。そして、アルミニウム合金系のメタル軸受によって回転軸をスムーズに軸支することができる。なお、鉄やステンレス系等のメタル軸受を用いることも考えられる。
【００１６】
上記構成の圧縮機において、前記軸受部は、前記冷媒を圧縮する圧縮機構または該圧縮機構を駆動する電動機のケーシングに直接形成されたメタルレス軸受であってもよい。メタルレス軸受の構造であっても回転軸を有効に軸支できるならば、メタルレス化することで銅系のメタル軸受を削減し、銅イオンの溶出および銅メッキ現象を有効に防止することができる。
【００１７】
上記構成の圧縮機において、前記構成部品は、前記冷媒を圧縮する圧縮機構を駆動する電動機の導線部材であってもよい。導線部材としては一般に銅線が用いられるため、この導線部材の表面が非銅系の材料で形成されることにより、銅イオンの溶出および銅メッキ現象を有効に抑制することができる。
【００１８】
上記構成の圧縮機において、前記導線部材はアルミニウム系材料で形成することが考えられる。このように、一般には銅線を用いている導線部材をアルミニウム系材料で形成することにより、銅イオンの溶出および銅メッキ現象を有効に抑制するとともに、圧縮機の軽量化およびコストダウンに貢献することができる。
【００１９】
また、本発明に係る冷凍サイクルシステムは、上記各構成の圧縮機と、前記冷媒を凝縮または蒸発させる熱交換器と、前記冷媒の流れを制御する弁部材と、上記各部材の間を接続する管路部材と、を備えて冷媒回路が構成された冷凍サイクルシステムであって、前記冷媒回路のうち、少なくとも前記冷媒の温度が１００℃を超える領域において該冷媒と接触する構成部品の表面が銅以外の材質によって形成されたことを特徴とする。
【００２０】
上記構成の冷凍サイクルシステムによれば、冷媒回路のうち、冷媒の温度が１００℃を超える領域において冷媒と接触する構成部品の表面が非銅系の材料により形成されているため、この部分に１００℃を超える温度の冷媒やオイルが接触しても、銅イオンがオイル中に溶け出すことがない。したがって、冷媒回路中に露呈している圧縮機構や電動機の回転軸といった鉄系部品の表面に銅メッキ現象が発生しない。これにより、冷凍サイクルシステム全体の信頼性を高めることができる。
【００２１】
上記構成の冷凍サイクルシステムにおいて、前記構成部品の表面は、非銅系のコーティングを施したものであってもよい。この場合も、上記と同様な作用・効果が得られ、しかも従来の銅系部品の材質を変更せずに表面にコーティングを施すだけでよいため、部品全体の変更に伴うコストアップを回避することができる。
【００２２】
上記構成の冷凍サイクルシステムにおいて、前記熱交換器はアルミニウム系材料で形成されていてもよい。本構成によれば、熱交換器に１００℃以上の冷媒が流れ込んでも、熱交換器に銅が含まれていないため、銅イオンが冷媒のオイル中に溶け出すことがない。したがって、圧縮機構や電動機等の鉄系部品における銅メッキ現象を抑制することができる。また、熱交換器をアルミニウム系材料で形成することにより、銅系の材料で形成された熱交換器と同等の熱交換性能を得ることができる。
【００２３】
上記構成の冷凍サイクルシステムにおいて、前記弁部材および前記管路部材の少なくとも一方は、アルミニウム系材料、または鉄系材料で形成されていてもよい。本構成によれば、弁部材および管路部材に１００℃以上の冷媒が流れ込んでも、これらの部品には銅が含まれていないため、銅イオンが冷媒のオイル中に溶け出すことがない。したがって、圧縮機や電動機等の鉄系部品における銅メッキ現象を抑制することができる。
【発明の効果】
【００２４】
以上のように、本発明に係る圧縮機およびこれを用いた冷凍サイクルシステムによれば、Ｒ３２冷媒を５０％超えて含有する冷媒を使用した冷凍サイクルシステムにおいて、冷媒の循環経路中に銅イオンが発生することを根本的に防止し、銅メッキ現象の発生を抑制してシステム全体の信頼性を高めることができる。
【図面の簡単な説明】
【００２５】
【図１】本発明の第１実施形態を示す冷暖房空調装置の基本構成を示す回路図である。
【図２】電動圧縮機の一例を示すロータリ型圧縮機の縦断面図である。
【図３】本発明の第２実施形態を示すスクロール型圧縮機の縦断面図である。
【発明を実施するための形態】
【００２６】
以下、図１〜図３に基づいて本発明の実施形態について説明する。
【００２７】
［第１実施形態］
図１は、本発明の第１実施形態を示す冷暖房空調装置１（冷凍サイクルシステムの一例）の基本構成を示す回路図である。この冷暖房空調装置１は、住居、事務所、店舗等に適用されるヒートポンプ式の冷暖房空調装置であり、屋外に設置される室外ユニット２と、屋内に設置される室内ユニット３とを備えた一般的な構成のものである。この冷暖房空調装置１の特徴は、冷媒としてＲ３２（ＨＦＣ３２）冷媒、またはこれを５０％超えて含有する混合冷媒を用いている点である。
【００２８】
室外ユニット２の内部には、冷媒を圧縮する密閉型の電動圧縮機４（圧縮機）と、冷媒の流れを制御する四方弁５（弁部材）と、冷媒を凝縮又は蒸発させる室外熱交換器６（熱交換器）と、冷媒の水分を除去するレシーバドライヤ７と、冷媒を膨張させる膨張弁８とが、この順番で管路部材１０により接続されている。膨張弁８からは管路部材１１が延びて室内ユニット３に繋がっている。なお、電動圧縮機４は、例えばロータリ型でアキュムレータ１２が添設されており、室外熱交換器６には冷却ファン１３が設けられている。
【００２９】
一方、室内ユニット３の内部には、冷媒を凝縮又は蒸発させる室内熱交換器１５（熱交換器）が組み込まれ、送風ファン１６が併設されている。この室内熱交換器１５の一端に、室外ユニット２から延出する管路部材１１が接続され、室内熱交換器１５の他端から延出する管路部材１７が室外ユニット２内の四方弁５を経て電動圧縮機４のアキュムレータ１２に繋がっている。
【００３０】
四方弁５が図１の角度になっている時は、冷暖房空調装置１は冷房運転モードとなる。即ち、電動圧縮機４で圧縮され、吐出された高温・高圧の冷媒は、四方弁５を経て室外熱交換器６に流れ、ここで冷却ファン１３により外気と熱交換されて冷却されることにより液相状となる。次に、レシーバドライヤ７で水分を除去されてから膨張弁８で膨張して適切な圧力に設定され、その後、管路部材１１を経て室内ユニット３の室内熱交換器１５に流れ、ここで気化することによって室内熱交換器１５の熱を奪い、同時に送風ファン１６が作動することにより、室内の空気が室内熱交換器１５により冷却されて室内に吹き出され、室内の冷房に供される。室内熱交換器１５で気化した冷媒は管路部材１７と四方弁５とアキュムレータ１２を経て再び電動圧縮機４に吸入される。
【００３１】
また、四方弁５が図１の角度から９０度、時計回りまたは反時計回りに回動すると、冷暖房空調装置１は暖房運転モードとなる。即ち、電動圧縮機４で圧縮された冷媒は、四方弁５と管路部材１７を経て室内熱交換器１５に流れ、ここで送風ファン１６により室内の空気と熱交換されて冷却され、液相状となる。この時、冷媒と熱交換されて暖められた空気が送風ファン１６により室内に吹き出されて室内の暖房に供される。そして、室内熱交換器１５を通過して液相状になった冷媒は、膨張弁８で膨張して適当な圧力に設定された後、レシーバドライヤ７で水分を除去されてから室外熱交換器６に流れ、ここで気化することによって熱を外部に逃がし、再び電動圧縮機４に吸入される。
【００３２】
図２は、上述した電動圧縮機４の第１実施形態を示すロータリ型圧縮機４Ａの縦断面図である。このロータリ型圧縮機４Ａは、後述する高温部分における材質や表面処理以外は従来のものと同様なツインロータリ型である。即ち、縦型円筒状の密閉容器であるハウジング２１の内部に、圧縮機構２２と、この圧縮機構２２を駆動する電動機２３とが上下に収容され（圧縮機構２２が下側）、ハウジング２１に隣接して前述のアキュムレータ１２が設置されている。
【００３３】
ハウジング２１は、冷媒の吸入口となる一対の吸入管２４，２５を下部側面に有し、冷媒の吐出口となる吐出管２６を頂部に有する。また、ハウジング２１の底部には、圧縮機構２２および電動機２３の潤滑に供されるオイルを溜める油溜２７が設けられている。
【００３４】
電動機２３は、金属の導線部材２８がコイル状に巻かれた固定子２９と、永久磁石である回転子３０と、固定子２９の内周で回転子３０を回転させる回転軸３１とを有する。鉛直に延びた回転軸３１は圧縮機構２２の主軸を兼ねている。圧縮機構２２には、その上下に軸受部３３，３４が設けられており、これら各軸受部３３，３４に、それぞれメタル軸受３３１，３４１が嵌合され、これらのメタル軸受３３１，３４１によって回転軸３１が回転自在に軸支されている。
【００３５】
例えばハウジング２１の頂部に設けられた端子３６と、固定子２９（導線部材２８）との間が導線部材３７で結線されており、図示しない電源から端子３６に供給される電力によって電磁石である固定子２９が励磁され、回転子３０が磁力反発して回転し、電動機２３が作動して圧縮機構２２が回転駆動される。
【００３６】
圧縮機構２２は、周知のツインロータリ型圧縮機構であり、軸方向に上下に並ぶ第一圧縮部３９および第二圧縮部４０を有する。これらの圧縮部３９，４０は、シリンダ３９１，４０１およびその内部で偏心回転するリング状のロータ３９２，４０２をそれぞれ有し、回転軸３１の軸方向に沿って上下に形成された偏心カム３１１，３１２によって偏心駆動されるようになっている。
【００３７】
アキュムレータ１２は、冷媒を気液分離するセパレータであり、本体タンク４２と、第一吸入管４３と、第二吸入管４４とを有する。本体タンク４２は、密閉構造を有する略円筒形状の容器であり、頂部に冷媒入口４５を有する。第一吸入管４３は、一方の端部が吸入管２４を経て第一圧縮部３９のシリンダ３９１に接続され、他方の端部が本体タンク４２の内部上方に開口している。第二吸入管４４は、一方の端部が吸入管２５を経て第二圧縮部４０のシリンダ４０１に接続され、他方の端部が本体タンク４２の内部上方に開口している。
【００３８】
アキュムレータ１２の冷媒入口４５から本体タンク４２の内部に流入した気液混合状態の冷媒は、その液相部が本体タンク４２の底部に流下して気化するのを待ち、既に気相状で冷媒入口４５から流入した冷媒ガスおよび本体タンク４２の底部で気化した冷媒ガスが第一吸入管４３および第二吸入管４４から、それぞれ第一圧縮部３９および第二圧縮部４０に供給される。
【００３９】
電動機２３が起動すると、回転軸３１が偏心カム３１１，３１２とともに回転して圧縮機構２２の第一圧縮部３９および第二圧縮部４０を作動させることにより、吸入管２４，２５から供給された気相状の冷媒ガスが、シリンダ３９１，４０１とロータ３９２，４０２との間で圧縮される。圧縮された冷媒ガスはシリンダ３９１，４０１の外周面に形成された図示しない吐出口から吐出され、電動機２３の内部を通り抜けて吐出管２６から冷暖房空調装置１の管路部材１０に供給される。
【００４０】
圧縮機構２２の下部には、鉛直下に延びて油溜２７に貯留されたオイル内に没するオイル吸込管４６が設けられている。また、回転軸３１の軸心部に形成されたオイル通路３１３がオイル吸込管４６に連通している。オイル通路３１３には、軸受部３３，３４（メタル軸受３３１，３４１）にオイルを供給する複数の給油孔３１３ａが設けられている。
回転軸３１が回転すると、オイル吸込管４６に掛かる遠心力により、油溜２７内のオイルが、オイル吸込管４６→オイル通路３１３→給油孔３１３ａの順に流れ、軸受部３３，３４（メタル軸受３３１，３４１）と回転軸３１との間、および圧縮機構２２の第一圧縮部３９、第二圧縮部４０等の内部が潤滑される。
【００４１】
上記のように構成されたロータリ型圧縮機４Ａ、およびこれを用いた冷暖房空調装置１において、少なくとも冷媒（Ｒ３２）の温度が１００℃以上になる各部領域においては、冷媒に接触する各構成部品の少なくとも表面を、以下に説明するように非銅系の材料により形成する。
【００４２】
ロータリ型圧縮機４Ａにおいては、冷媒の温度が１００℃以上になる可能性がある部分は、圧縮機構２２の内部と、圧縮機構２２から吐出された高温な冷媒が接触する電動機２３の各部と、ハウジング２１と、吐出管２６と、オイル吸込管４６等である。これら各部の材料として、銅系の材質を用いずに、アルミニウム系や鉄系、あるいは他の非銅系の金属材質を用いる。耐熱性および耐薬品性が高いものであれば樹脂材料の適用を検討してもよい。もしくは、これらの部材の表面に非銅系のコーティングを施してもよい。
【００４３】
圧縮機構２２において、従来から銅系の材料が用いられている代表的な場所は、軸受部３３，３４に設けられているメタル軸受３３１，３４１である。このメタル軸受３３１，３４１を銅系や青銅系の材質から非銅系の材質のものに変更する。好適なのはアルミニウム合金メタルである。中でも銅の含有量が１．５％以下のものが望ましい。また、アルミニウム合金メタル以外に、鉄・ステンレス系等のメタル軸受（メタルブッシュ）を用いることが考えられる。
【００４４】
さらに、軸受部３３，３４にメタル軸受３３１，３４１を設けない、所謂メタルレス構造としてもよい。即ち、軸受部３３，３４の内周部にメタル軸受３３１，３４１を圧入する代わりに、軸受部３３，３４の内径を、回転軸３１の軸支に好適なサイズに形成し、軸受部３３，３４を形成しているアルミニウム合金等の材料の表面をそのまま軸受面とする。この軸受面には、オイル通路３１３（給油孔３１３ａ）からのオイルが供給されるようにする。
【００４５】
また、変形例として、上記のように非銅系のメタル軸受を用いたりメタルレス構造とする代わりに、ボールベアリングやニードルベアリング等の転がりベアリングを用いることも考えられる。
【００４６】
一方、電動機２３において、従来から銅系の材料が用いられている代表的な場所は導線部材２８，３７である。ここでは、導線部材２８，３７を銅線から、例えばアルミニウム系材料からなる線材に変更し、銅系の材質を削減する。もしくは、導線部材２８，３７を銅線で形成し、その表面に樹脂等を厚くコーティングして銅イオンの流出を防止する。
【００４７】
ハウジング２１と吐出管２６とオイル吸込管４６等の管部材については、これまで用いられていた銅系の金属を使用せず、例えば鉄系やアルミニウム系の材料により形成するか、冷媒との接触面に非銅系のコーティング（メッキや塗装も含む）を施す。
【００４８】
冷暖房空調装置１において、電動圧縮機４（ロータリ型圧縮機４Ａ）の他に冷媒（Ｒ３２）の温度が１００℃以上に達する可能性がある部分は、四方弁５、室外熱交換器６、管路部材１０、室内熱交換器１５、管路部材１７等である。これらの部材５，６，１０，１５，１７等の材料も、電動圧縮機４の各部と同じく、銅系の材質を用いずにアルミニウム系や鉄系、あるいは他の非銅系の金属材質を用いるか、これらの部材の表面に非銅系のコーティングを施す。
【００４９】
室外熱交換器６、室内熱交換器１５については、銅系の材料で形成されていたものを全てアルミニウム系材料で形成するのが放熱性能の面で好ましい。また、上記のように管路部材１０（１１），１７をアルミニウム系材料、または鉄系材料で形成すればコスト面で有利になる。なお、このようなアルミニウム系や鉄系の材料を用いる場合には、外気に触れる部分にコーティングや塗装等の防錆処理を施す必要がある。
【００５０】
［第２実施形態］
図３は、冷暖房空調装置１に使用される電動圧縮機４の第２実施形態を示すスクロール型圧縮機４Ｂの縦断面図である。このスクロール型圧縮機４Ｂは、後述する高温部分における材質や表面処理以外は従来のものと同様である。
【００５１】
スクロール型圧縮機４Ｂは、縦型円筒状の密閉容器であるハウジング５１の内部に、電動機５２と、この電動機５２の上方に位置し、電動機５２によって駆動される圧縮機構５３とが収容されている。ハウジング５１は、冷媒の吸入口となる吸入管５５を側面に有し、冷媒の吐出口となる吐出管５６を頂部に有する。なお、ハウジング５１の頂部はドーム状のトップカバー５７となっており、圧縮機構５３との間に冷媒の吐出チャンバ５８を画成している。
【００５２】
電動機５２は、金属の導線部材６０がコイル状に巻かれた固定子６１と、永久磁石である回転子６２と、固定子６１の内周で回転子６２を回転させる回転軸６３とを有する。鉛直に延びた回転軸６３は圧縮機構５３の主軸を兼ねており、ハウジング５１の底部近くに設けられた軸受部６４と、圧縮機構５３側に設けられた軸受部６５によって回転自在に支承されている。これらの軸受部６４，６５には、それぞれメタル軸受６４１，６５１が嵌合されている。
【００５３】
圧縮機構５３は、下側のベース部材６７と、上部カバー６８とが気密的に組み合わされ、その内部に旋回スクロール６９が組み込まれた概略構成を持つ。ベース部材６７には先述の軸受部６５が一体に設けられるとともに、図示しない吸入口が設けられている。また、ベース部材６７には固定スクロール７０が固定されている。一方、上部カバー６８には固定スクロール７０の上部が気密的に嵌合されるとともに、吐出ポート７１と、所定の圧力で開弁して吐出ポート７１を開くリード弁７２とが設けられている。
【００５４】
公知のように、旋回スクロール６９は、円板状の端板６９１に、渦巻き状で所定の高さを有したラップ壁６９２が一体に形成されている。一方、固定スクロール７０は、旋回スクロール６９（端板６９１）に対向する円板状の端板７０１に、旋回スクロール６９のラップ壁６９２に対向して噛み合う渦巻き状のラップ壁７０２が一体に形成されている。そして、ラップ壁６９２とラップ壁７０２との間に、容積が変化する一対の渦巻き状の圧縮空間７５が形成されている。
【００５５】
回転軸６３の上端部には、回転軸６３の中心軸から所定寸法だけ偏心した位置に偏心ピン６３１が突出形成されている。また、旋回スクロール６９（端板６９１）の回転軸６３側には、偏心ピン６３１を収容する凹部６９３が形成されている。偏心ピン６３１は凹部６９３にドライブブッシュ７６を介して回転自在に挿入されている。なお、旋回スクロール６９と回転軸６３との間には、旋回スクロール６９の自転を抑制する自転防止機構（非図示）が介装されている。
【００５６】
回転軸６３の軸心部には、ハウジング５１の底部に設けられた油溜７８に貯留されたオイルを吸い上げて回転軸６３（偏心ピン６３１）の上端部から偏心ピン６３１と凹部６９３とドライブブッシュ７６との間にオイルを供給するための潤滑油流路６３２，６３３が形成されている。
【００５７】
このように構成されたスクロール型圧縮機４Ｂにおいて、冷媒はハウジング５１側面の吸入管５５からハウジング５１内に導入され、電動機５２の起動により、回転軸６３が回転して圧縮機構５３の旋回スクロール６９が固定スクロール７０に対して公転旋回運動し、ベース部材６７に設けられた図示しない吸入口から冷媒が圧縮空間７５内に吸入され、圧縮される。圧縮された冷媒は、リード弁７２を押し開いて吐出ポート７１から吐出チャンバ５８内に放流され、さらに吐出管５６から冷暖房空調装置１の管路部材１０に供給される。
【００５８】
上記のように構成されたスクロール型圧縮機４Ｂにおいても、少なくとも冷媒（Ｒ３２）の温度が１００℃以上になる各部領域においては、冷媒に接触する各構成部品の少なくとも表面を非銅系の材料により形成する。このスクロール型圧縮機４Ｂにおいて、冷媒の温度が１００℃以上になる可能性がある部分は、圧縮機構５３の内部と、圧縮機構５３から吐出された高温な冷媒が通過するリード弁７２と、吐出チャンバ５８を画成するトップカバー５７と、吐出管５６等である。
【００５９】
これら各部の材料として、銅系の材質を用いずに、アルミニウム系や鉄系、あるいは他の非銅系の金属材質や、耐熱性および耐薬品性の高い樹脂材料等を用いる。もしくは、これらの部材の表面に非銅系のコーティングを施す。なお、吐出ガス冷媒をハウジング５１内の電動機５２が収容されている区画内に一旦吐出するタイプのスクロール型圧縮機の場合は、電動機５２に前述のロータリ型圧縮機４Ａと同様の対応を施すことにより、同様の効果を得ることができる。
【００６０】
メタル軸受６４１，６５１については、その付近を通過する冷媒の温度が１００℃未満であれば、従来通り銅系や青銅系のメタル軸受を適用してもよいが、ここは摺動部であり、温度が高まる可能性があることを考慮すれば、第１実施形態と同様にアルミニウム合金や鉄・ステンレス系等の非銅系メタル軸受を用いたり、メタルレス構造や転がりベアリング構造を採用するのが望ましい。
【００６１】
以上説明したように、本実施形態に係る電動圧縮機４（４Ａ，４Ｂ）およびこれを用いた冷暖房空調装置１（冷凍サイクルシステム）は、少なくとも冷媒の温度が１００℃以上になる領域において、冷媒に接触する構成部品の表面が全て非銅系の材料により形成されている。このため、この部分に１００℃を超える温度の冷媒やオイルが接触しても、表面に銅の成分が存在していないことから、銅イオンがオイル中に溶け出すことがない。
【００６２】
したがって、電動圧縮機４（４Ａ，４Ｂ）の構成部品のうち、冷媒回路中に露呈している回転軸３１，６３や、圧縮機構２２，５３の内部部品等の鉄系部品の表面に銅メッキ現象が発生しない。これにより、回転軸３１，６３の回転や、圧縮機構２２，５３の作動を滑らかにするとともに、上記実施形態には存在しないが、回転軸が外部に突出する部分に設けられるメカニカルシール部におけるオイル漏れやガス漏れを防止し、冷暖房空調装置１全体の信頼性を高めることができる。
【００６３】
また、１００℃以上の冷媒に接触する部品の表面に非銅系のコーティングを施すことによって銅メッキ現象を抑制するようにすれば、非銅系の素材で部品を製作した場合と同様な作用・効果が得られ、しかも従来の銅系部品の材質を変更せずに表面にコーティングを施す（既製部品にコーティングを施す）だけでよいため、部品全体の材質変更や、既製部品の廃棄等に伴うコストアップを回避することができる。
【００６４】
電動圧縮機４（４Ａ，４Ｂ）の内部で、鉄系の部品である回転軸３１，６３を軸支している軸受部３３，３４，６４，６５のメタル軸受３３１，３４１，６４１，６５１に非銅系の材質を使用した場合には、鉄系の部品である回転軸３１，６３を支持する部分の材質が非銅系の材料となることにより、銅イオンの溶出および銅メッキ現象を有効に抑制することができる。
【００６５】
特に、メタル軸受３３１，３４１，６４１，６５１として、銅の含有率が１．５％以下のアルミニウム合金系メタル軸受を使用すれば、銅イオンの溶出および銅メッキ現象を防止しながら、回転軸３１，６３をスムーズに支承することができる。元来、アルミニウム合金は、その強度特性を向上させるために微量な銅が配合されているが、その含有率が１．５％以下であれば、銅イオンの溶出および銅メッキ現象を防止することができる。
【００６６】
さらに、軸受部３３，３４，６４，６５をメタルレス軸受としても回転軸３１，６３を有効に軸支できるならば、メタルレス化することによって銅系のメタル軸受を削減し、銅イオンの溶出および銅メッキ現象を有効に防止することができる。
【００６７】
また、ロータリ型圧縮機４Ａにおいて、高温な冷媒に晒される電動機２３の導線部材２８，３７を非銅系の材質、好ましくはアルミニウム系の材料で形成することにより、一般に銅線が用いられている導線部材からの銅イオンの溶出を効果的に阻止し、銅メッキ現象を有効に抑制するとともに、電動圧縮機の軽量化およびコストダウンに貢献することができる。
【００６８】
さらに、冷暖房空調装置１における室外熱交換器６や室内熱交換器１５といった熱交換器をアルミニウム系材料で形成したり、四方弁５や管路部材１０，１７をアルミニウム系や鉄系の金属材質によって形成することにより、熱交換器６，１５や四方弁５、管路部材１０，１７に１００℃以上の冷媒が流れ込んでも、これら各部品に銅が含まれていないため、銅イオンが冷媒のオイル中に溶け出すことがない。
したがって、圧縮機構や電動機等の鉄系部品における銅メッキ現象を抑制することができる。また、熱交換器６，１５をアルミニウム系材料で形成することにより、銅系の材料で形成された熱交換器と同等の熱交換性能を得ることができる。
【００６９】
以上のように、上記実施形態に係る電動圧縮機４（４Ａ，４Ｂ）およびこれを用いた冷暖房空調装置１によれば、Ｒ３２冷媒を５０％超えて含有する冷媒を使用した場合であっても、冷媒の循環経路中に銅イオンが発生することを根本的に防止し、銅メッキ現象の発生を抑制してシステム全体の信頼性を高めることができる。
【００７０】
なお、本発明は上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
【００７１】
例えば、上記実施形態では家屋用の冷暖房空調装置１に本発明を適用した例について説明したが、業務用、ＧＨＰ用、車載用の空調装置や、低温用、給湯用の装置等にも本発明を適用することができる。
【符号の説明】
【００７２】
１  冷暖房空調装置（冷凍サイクルシステム）
４  電動圧縮機（圧縮機）
５  四方弁（弁部材）
６  室外熱交換器（熱交換器）
１０，１１，１７  管路部材
１５  室内熱交換器（熱交換器）
２１，５１  ハウジング（密閉容器）
２２，５３  圧縮機構
２３，５２  電動機
２６  吐出管
２８，３７  導線部材
３１，６３  回転軸
３３，３４，６４，６５  軸受部
【図１】
2014122587.tif 000003
【図２】
2014122587.tif 000004
【図３】
2014122587.tif 000005